(57)【要約】【課題】  ネズミを確実に粘着剤上に誘導して捕獲するとともに、最初の一匹二匹のネズミの捕獲だけでなく近くに居るネズミを何匹でも捕獲できるようにする。【解決手段】  外から中の様子の見えない箱型のネズミ捕り器とするとともに、粘着剤は箱の底の部分と蓋の部分に設け、それも底の部分の粘着剤は薄膜で最初は覆っておくものである。  そして、まずは蓋の部分の粘着剤が落下してネズミに粘着し、それとともに薄膜が破れて底の部分の粘着剤が現れネズミに粘着する。  つまり、ネズミを上下から挟むように粘着することで、確実に捕獲するものである。【選択図】  図１
2005204628.tif 000002
【特許請求の範囲】
【請求項１】
前面板７、背面板９、両側面部５、６、底板１１からなる上面が開いている長方形の箱体と、
前記前面板７の中央部に形成した入口部８と、
前記背面板９の中央部の背面に突出して形成した餌置き部１０と、
前記底板１１の中間部分に設けた支持部１２を支点としてシーソー動作をするとともに入口部側端部が該底板１１上に接するように傾斜して設ける傾斜板１３と、
前記傾斜板１３上に設けられる、表面をラップ状の薄膜で覆った粘着剤を薄板に設けた下部粘着剤塗板１５と，
前記長方形の箱体の開いている上面に粘着剤面を内側に向けて設けられ、シーソー動作をする前記傾斜板１３の傾斜の反対方向への反転によって内側に落下する、粘着剤を薄板に設けた上部粘着剤塗板１６と，
を備えたことを特徴とする上下粘着剤使用箱型ネズミ捕り器。
【請求項２】
前面板７、背面板９、両側面部５、６、底板１１からなる上面が開いている長方形の箱体と、
前記前面板７の中央部に形成した入口部８と、
前記背面板９の中央部の背面に突出して形成した餌置き部１０と、
前記底板１１上に引き出し板３３を介在させ、該引き出し板３３の中間部分に設けた支持部１２を支点としてシーソー動作をするとともに入口部側端部が該引き出し板３３上に接するように傾斜して設ける傾斜板１３と、
前記傾斜板１３上に設けられる、表面をラップ状の薄膜で覆った粘着剤を薄板に設けた下部粘着剤塗板１５と，
前記長方形の箱体の開いている上面に粘着剤面を内側に向けて設けられ、シーソー動作をする前記傾斜板１３の傾斜の反対方向への反転によって内側に落下する、粘着剤を薄板に設けた上部粘着剤塗板１６とを備えると共に、
前記背面板９を上方向に取り外し可能として、前記引き出し板３３を背面方向に引き出すことによって、引き出し板３３上の下部粘着剤塗板１５を含めた傾斜板１３、支持部１２、さらに、下部粘着剤塗板１５上の捕獲したネズミ、落下した上部粘着剤塗板１６を箱体の外部に引き出せるようにしたこと
を特徴とする上下粘着剤使用箱型ネズミ捕り器。
【請求項３】
前記上部粘着剤塗板１６と下部粘着剤塗板１５は、それぞれ周囲に枠３０、３１を設けること
を特徴とする請求項１もしくは請求項２に記載の上下粘着剤使用箱型ネズミ捕り器。
【請求項４】
前記長方形の箱体の開いている上面に粘着剤面を内側に向けて設けられる上部粘着剤塗板１６は、一方の端部である入口部側端部が、前記両側面部５、６間に渡された端部支持部材１７に支持され、他方の端部である背面板側端部が前記両側面部５、６間に渡された乗せ板１８に乗せられているようにしたこと
を特徴とする請求項１ないし請求項３のいずれかに記載の上下粘着剤使用箱型ネズミ捕り器。
【請求項５】
前記前面板７の下端部は前記傾斜板１３の入口部側端部上にあり、傾斜板１３のシーソー動作に応じて前記前面板７は上下方向に摺動可能であり、
前記傾斜板１３の入口部側端部が下方向に位置すると、前記前面板７の下端部は下方向に位置していて、前記前面板７は前記端部支持部材１７の回動を規制して前記上部粘着剤塗板１６の入口部側端部を端部支持部材１７が支持するようにして、前記上部粘着剤塗板１６を保持し、
さらに、前記傾斜板１３の入口部側端部がシーソー動作によって上方向に位置すると、前記前面板７の下端部は上方向に摺動して、上方向に摺動した前記前面板７は、前記上部粘着剤塗板１６の入口部側端部を支持している前記端部支持部材１７の一部を、前記上部粘着剤塗板１６の入口部側端部から離れるように回動させて、上部粘着剤塗板１６を入口部側端部を先頭にして落下させること
を特徴とする請求項４に記載の上下粘着剤使用箱型ネズミ捕り器。
【請求項６】
前記端部支持部材１７は、前記両側面部５、６間に渡された固定板２０と、固定板２０の中間部分に上方から下方に向けて形成された切り込み２１と、該切り込み２１の両側に固定された２つの軸受け板２２、２３と、該両軸受け板２２、２３間の上下に設けた２つの軸２４、２５と、該２つの軸２４、２５のそれぞれに回動自在に軸支された上側コマ２６と下側コマ２７と、該上側コマ２６から背面板方向に突出する前記上部粘着剤塗板１６の入口部側端部を支持する支持部材２８と、下側コマ２７に固定され上側コマ２６に接して上側コマ２６の回動をコントロールする回動制御板２９とからなり、
前記前面板７が下方向に位置すると前記回動制御板２９は、前面板７の上端側の背面に接して、下側コマ２７の回動が規制され、回動制御板２９に接している上側コマ２６も回動が規制され、
前記前面板７が上方向に摺動すると前記回動制御板２９の先端部は、前記前面板７の上端側背面からの接触をはずれて前記前面板７の入口部８内に倒れ込み、該回動制御板２９に接して回動が規制されていた上側コマ２６の規制が解除されて、上側コマ２６が軸２４を中心にして回動し、上側コマ２６から一体に突出している支持部材２８も回動して、該支持部材２８に乗っていた上部粘着剤塗板１６が、支持部材２８から離れ入口部側端部を先頭にして落下すること
を特徴とする請求項５に記載の上下粘着剤使用箱型ネズミ捕り器。
【請求項７】
前記上側コマ２６と回動制御板２９を固定している下側コマ２７とは、上部粘着剤塗板１６が落下したことによって、回動制御板２９が上側コマ２６に接する元の状態に回動して戻る形状、バランスにすること
を特徴とする請求項６に記載の上下粘着剤使用箱型ネズミ捕り器。
【発明の詳細な説明】
【技術分野】
【０００１】  本発明は、箱内に進入したネズミに対して、上下から粘着剤を粘着することによって、確実に捕獲するようにした、箱型ネズミ捕り器に関するものである。
【背景技術】
【０００２】  ネズミ捕り器として市販されているものとしては、昔から存在する、金網状の檻の入口をバネによって閉めて捕獲するものや、最近見られる、粘着剤でネズミを捕獲するもので、粘着剤を塗った板やシート（以下「粘着シート」という）をネズミの通りそうな所に置きネズミの手足に粘着剤を付けて捕獲するものが存在している。
しかし、金網状の檻は、捕獲したネズミが金網の中になまなましく見えることで、使用を敬遠することが多い。
また、粘着シートは、ネズミの用心深さ、学習体験からか、仕掛けた粘着シートを避けてしまったり、確実に粘着シートに粘着しないで逃げられてしまい、捕獲に失敗することが多い。すなわち、ネズミを観察してみると、ネズミには学習能力があり、粘着シートで捕まった仲間のネズミを見ると、粘着シートが危険と悟り近づかなくなる。手足に少し粘着剤が付いても後ずさりして逃げてしまう。粘着剤を塗った板、シートの上に餌を置いてもだめ。ネズミの通りそうなところに仕掛けても粘着剤を避けて通ったり、飛び越えたりして捕獲するのは難しい。最初に一匹二匹捕獲できても近くにいるネズミを何匹も捕獲するのは困難である。
【発明の開示】
【発明が解決しようとする課題】
【０００３】  そこで、解決しようとする問題点は、ネズミを確実に粘着剤上に誘導して逃げられないようにする点、さらに、最初の一匹二匹のネズミだけではなくて近くに居るネズミを何匹でも捕獲できるように、捕まった状態の仲間のネズミを見せないようにする点である。
【課題を解決するための手段】
【０００４】  本発明は、捕まった仲間のネズミが見えないように、外から中の様子の見えない箱型のネズミ捕り器とするとともに、粘着剤は箱の底の部分と蓋の部分に設け、それも底の部分の粘着剤は薄膜で最初は覆っておくものであり、まずは蓋の部分の粘着剤が落下してネズミに粘着し、それとともに薄膜が破れて底の部分の粘着剤がネズミに粘着する、つまりネズミを上下から挟むように粘着することで確実に捕獲することを、主要な特徴とするものである。
【発明の効果】
【０００５】  本発明の箱型ネズミ捕り器は、底の部分の粘着剤が薄膜で覆われているので、ネズミは、餌につられて箱型ネズミ捕り器内に進入し無警戒に油断をして薄膜で覆われている底の部分の粘着剤上まで確実にやってくるようになる。そこで、まず蓋の部分の粘着剤が落下してネズミの背中、頭などに粘着し、それに驚いたネズミがもがき暴れることにより薄膜が破れて底の部分の粘着剤もネズミの手足、腹、顔などに粘着するようになり、ネズミは上下から挟むように粘着剤で粘着されることになって、ネズミは箱の中で身動きできなくなって確実に捕獲できる。さらに、捕獲されたネズミは外から見えない箱の中であり、外にいる仲間のネズミにはその様子が見えないので、危険だと学習してしまうこともなく、再度、同じようにセットすれば近くに居るネズミは何匹でも捕獲できる。捕獲したネズミは簡単に処分できるし、再利用できる部材であるベニヤ板やプラスチック板、厚紙板などによって簡単に組み立てや再セットができる。もちろん捕獲されたネズミの生々しい状態を人々が直接目にすることもない。
【発明を実施するための最良の形態】
【０００６】  上面が開いている長方形の箱体の１端面の中央部に入口部を形成するとともに、他端面に餌をセットし、箱体の底面内部には、傾斜板を設ける。傾斜板は、底面の中間部分に設けた支持部を支点としてシーソー動作をするとともに、入口部側が底面に接するように傾斜して設け、該傾斜板上には表面が薄膜で覆われた粘着層を形成する。そして、ネズミが餌に誘われて、入口部から進入して薄膜で覆われた粘着層上まで来たことにより傾斜板がシーソー動作し、傾斜板が反転して反対方向に傾斜するようにし、その傾斜に伴って、箱体の上面に設けられている上面粘着層が落下するようにして、まず落下した上面粘着層がネズミの背中に粘着し、それによってもがき暴れるネズミの手足、口によって、今度は前記薄膜で覆われた粘着層の薄膜が破れ、破れた薄膜から現れた粘着層が、ネズミの手足、腹、顔に粘着する。すなわち、ネズミは上下から挟まれるように粘着剤で粘着され捕獲される。
【実施例】
【０００７】  図１は、本発明箱型ネズミ捕り器の１実施例の一部切断面を有する立面図であって、箱型ネズミ捕り器の外観は、上面部１、底面部２、前面部３、後面部４、両側面部５、６からなる箱体形状をしているものである。【０００８】  図２は、前面部３の正面図であり前面板７からなり、前面板７は両側面部５、６間に上下方向に摺動自在に設けられていて、ネズミの進入口となる凸形状の入口部８を形成している。【０００９】  図３は、後面部４の背面図であり背面板９からなり、背面板９は背面に突出する餌置き部１０を形成している。【００１０】  図４は、上面部１、底面部２の側面図であり、
底面部２は、底板１１、底板１１上に設けた支持部１２を支点としてシーソーのように動く傾斜板１３、該傾斜板１３の前記入口部８側を下方に押し下げるための重り板１４、この重り板１４と横並びの下部粘着剤塗板１５からなり、そして、傾斜板１３の入口部８側端部は前記前面板７の下端部を乗せており、傾斜板１３の上下方向のシーソー動作に連動して前記前面板７は上下方向に摺動可能とする。【００１１】  また、上面部１は、上部粘着剤塗板１６、上部粘着剤塗板１６の前記入口部８側端部を支持する端部支持部材１７からなる。なお、上部粘着剤塗板１６の前記背面板９側端部は前記両側面部５、６間に渡された乗せ板１８上に乗せられる。符号１９は、上部粘着剤塗板１６のつまみである。【００１２】  図５は、上部粘着剤塗板１６の落下中の側面図であり、
図６は、上部粘着剤塗板１６の落下後の状態を示す一部切断面を有する立面図である。【００１３】  図４、図５、図６を用いて前記端部支持部材１７の構造および動作を説明する。
端部支持部材１７は、図６に見られるように前記両側面部５、６間に渡された固定板２０と、該固定板２０の中間部分に上方から下方に向けて形成された切り込み２１と、該切り込み２１の両側に固定された軸受け板２２、２３と、図４、図５に見られるように該両軸受け板２２、２３間の軸２４、２５にそれぞれ回動自在に軸支された上側コマ２６と下側コマ２７と、該上側コマ２６から前記背面板９の方向に突出して、前記上部粘着剤塗板１６の入口部８側端部を支持する支持部材２８と、下側コマ２７に固定され上側コマ２６に接して上側コマ２６の回動をコントロールする回動制御板２９とからなる。【００１４】  そして、図４のように前面板７が下方に位置する時、すなわち、前面板７の下端部を乗せてシーソー動作をする前記傾斜板１３の入口部８側端部が下方向に位置する時、なお、この図４の状態が、ネズミ捕り器を最初にセットし、仕掛けた時の状態である。
この時、前記回動制御板２９は、前面板７の上端側の背面に接する状態となり、下側コマ２７は矢印ａ方向への回動が規制されるし、また、回動制御板２９に接している上側コマ２６も図４の状態となり、矢印ｂ方向への回動が規制される。【００１５】  この回動が規制されている状態の時に、上側コマ２６から突出する前記支持部材２８に前記上部粘着剤塗板１６の入口部８側端部を乗せるとともに、上部粘着剤塗板１６の他端部は前記乗せ板１８上に乗せられ、上部粘着剤塗板１６がセットされる。【００１６】  この上部粘着剤塗板１６がセットされた状態で、この箱型ネズミ捕り器をネズミの通りそうなところに仕掛けておくと、ネズミは、餌置き部１０の餌に誘われて前面板７の入口部８から進入し、餌まで進んで行こうとする。しかし、進む途中で、前記傾斜板１３がネズミの重みによってシーソー動作をして、図５の状態、すなわち、傾斜板１３の傾斜が反対方向に反転し、餌置き部１０側端部が下方向に位置するようになり、反対側の入口部８側端部、すなわち、前面板７の下端部を乗せている端部が上方向に位置するようになる。【００１７】  そして、この前面板７の下端部を乗せている端部が上方向に移動するにつれて、前面板７が上方向に摺動し、この摺動に伴って凸形状の入口部８も上方向に移動する。この前面板７そして入口部８の上方向への移動によって、前面板７の上端側の背面に上部粘着剤塗板１６の重みなどで強く接触していた前記回動制御板２９の先端部は、接触をはずれて凸形状の入口部８内に倒れ込む。なお、先端部の倒れ込みは、下側コマ２７の矢印ａ方向への回動に連動するものである。【００１８】  この回動制御板２９の先端部の入口部８内への倒れ込みによって、回動制御板２９に接して回動が規制されていた上側コマ２６は規制が解除され、上部粘着剤塗板１６の重みなどによって、軸２４を中心にして矢印ｂ方向に回動する。【００１９】  この回動によって、上側コマ２６から突出している支持部材２８に乗っていた前記上部粘着剤塗板１６は、支持部材２８から離れ、図５に示すように入口部８側端部分を先頭にして落下して行く。
なお、端部支持部材１７は、上部粘着剤塗板１６の落下後には、図４の状態、すなわち、回動制御板２９が上側コマ２６に接する元の状態に回動して戻るように、上側コマ２６と下側コマ２７の形状、バランスに配慮することが望ましい。【００２０】  上部粘着剤塗板１６と下部粘着剤塗板１５とは、それぞれ薄板に粘着剤を設けたものである。【００２１】  そして、下部粘着剤塗板１５では、さらに、粘着剤表面をラップ状の薄膜で覆うようにする。
これは、ネズミが歩いたくらいでは手足に粘着剤が付かないようにして、ネズミが安心して下部粘着剤塗板１５上を自由に歩けるようにするためである。【００２２】  ネズミが下部粘着剤塗板１５上を自由に歩くことで、ネズミの重みによって、シーソー動作をする傾斜板１３の傾斜を反対方向に反転させるのであり、前述のように上部粘着剤塗板１６を入口部８側端部分を先頭にして落下させ、落下した上部粘着剤塗板１６の粘着剤がネズミの背中、頭などにまず粘着し、逃げようとしても上部粘着剤塗板１６の入口部８側端部分が先に落下することで入口部８の方が塞がれてしまい、ネズミが入口部８から逃げることができなく、そのまま下部粘着剤塗板１５上で、もがき暴れることになる。【００２３】  このもがき暴れているネズミの手足、口などによって、前記ラップ状の薄膜が破れる薄さの薄膜にしておき、破れた薄膜の下から粘着剤が現れて、ネズミの手足、腹、顔などにも粘着剤が付くようになり、ネズミは上下から挟まれるように粘着剤で粘着され、ますます逃げられないようになる。【００２４】  図７は、上部粘着剤塗板１６、下部粘着剤塗板１５、傾斜板１３の具体例である。
上部粘着剤塗板１６と下部粘着剤塗板１５には、周囲にそれぞれ枠３０、３１を設けており、この枠３０，３１により粘着剤がはみ出すことなくきれいに設けることができるし、手を汚すことなく取り扱うことができるようになる。【００２５】  また、傾斜板１３は、入口部８側を下方に押し下げるための重り板１４を上面の入口部８側部分に固定し、残りの部分に重り板１４と横並びに係合部３２（図８）で係合して位置決めされる下部粘着剤塗板１５を取り付けるようにしている。【００２６】  図７の符号３３は、図６に示すように底板１１と傾斜板１３のシーソーの支点となる支持部１２との間に介在される引き出し板である。この引き出し板３３は、つまみ３４をつまんで底板１１（図６）上を後面部４方向へ引き出せるものであり、該引き出し板３３上に乗っている下部粘着剤塗板１５を含めた傾斜板１３と支持部１２とを箱体の外部に引き出すためのものである。さらに、下部粘着剤塗板１５上の捕獲したネズミや、落下した上部粘着剤塗板１６もまとめて引き出せる。
上記の引き出し板３３と、該引き出し板３３上のものを、箱体の後面部４方向、すなわち、前記背面板９方向の外部に引き出し可能とすために、図６に示すように両側面部５、６間に設けた背面板９を、上方向に摺動取り外し可能とする。【００２７】  以上のように構成したことによる動作を次に記載する。
まず、図４の状態にセットする。すなわち、餌置き部１０にネズミの好物の餌を置く。そして、ラップ状の薄膜で覆われている下部粘着剤塗板１５を傾斜板１３に固定して、傾斜板１３を入口部８側端部が下方向として傾斜させ、その端部に凸形状の入口部８を備えた前面板７を下方向に摺動してセットする。さらに、支持部材２８と乗せ板１８との間に上部粘着剤塗板１６をセットする。【００２８】  セットした箱型ネズミ捕り器を、ネズミの通りそうなところに仕掛ける。
ネズミは、餌置き部１０の餌に誘われて入口部８から進入して餌に向かう。【００２９】  箱の中に入ったネズミは、薄膜で覆われている下部粘着剤塗板１５上を安心して無警戒に歩いて行き、途中で、ネズミの重みにより傾斜板１３の傾斜が反対方向に反転する。この反転により、前面板７が上方向に摺動し、回動制御板２９の先端部が前面板７の入口部８内に倒れ込む。【００３０】  この倒れ込みによって、上側コマ２６と支持部材２８が矢印ｂ方向に回動する。
この回動によって、上部粘着剤塗板１６が入口部８側端部分を先頭にして落下して行き、落下した上部粘着剤塗板１６の粘着剤がネズミの背中、頭などに粘着し、ネズミが下部粘着剤塗板１５上でもがき暴れることになる。【００３１】  このもがき暴れることにより下部粘着剤塗板１５の薄膜が破れ、下から粘着剤が現れ、ネズミの手足、腹、顔などに付くようになり、ネズミは上下からの粘着剤の粘着によって捕獲される。【００３２】  捕獲されたネズミは、背面板９を上方に摺動し、つまみ３４をつまんで引き出し板３３を引き出すことによって、粘着している上部粘着剤塗板１６、下部粘着剤塗板１５、そして、傾斜板１３と支持部１２と共に、箱体の外部に引き出すことができる。
そして、捕獲されたネズミは上部粘着剤塗板１６、下部粘着剤塗板１５と共に処分をすることができる。
なお、引き出し板３３、支持部１２、傾斜板１３は、次のネズミの捕獲のために再利用できる。
【図面の簡単な説明】
【００３３】
【図１】箱型ネズミ捕り器の一部切断面を有する立面図である。
【図２】箱型ネズミ捕り器の前面部３の正面図である。
【図３】箱型ネズミ捕り器の後面部４の背面図である。
【図４】箱型ネズミ捕り器の上面部１、底面部２の側面図である。
【図５】上部粘着剤塗板１６の落下中の側面図である。
【図６】上部粘着剤塗板１６の落下後の状態を示す一部切断面を有する立面図である。
【図７】上部粘着剤塗板１６、下部粘着剤塗板１５、傾斜板１３の各断面図である。
【図８】重り板１４と下部粘着剤塗板１５との係合部３２の説明図である。
【符号の説明】
【００３４】  １  箱型ネズミ捕り器の上面部
２  箱型ネズミ捕り器の底面部
３  箱型ネズミ捕り器の前面部
４  箱型ネズミ捕り器の後面部
５  箱型ネズミ捕り器の一方の側面部
６  箱型ネズミ捕り器の他方の側面部
７  前面板
８  入口部
９  背面板
１０  餌置き部
１１  底板
１２  支持部
１３  傾斜板
１４  重り板
１５  下部粘着剤塗板
１６  上部粘着剤塗板
１７  端部支持部材
１８  乗せ板
１９  つまみ
２０  固定板
２１  切り込み
２２  軸受け板
２３  軸受け板
２４  軸
２５  軸
２６  上側コマ
２７  下側コマ
２８  支持部材
２９  回動制御板
３０  枠
３１  枠
３２  係合部
３３  引き出し板
３４  つまみ
【図１】
2005204628.tif 000003
【図２】
2005204628.tif 000004
【図３】
2005204628.tif 000005
【図４】
2005204628.tif 000006
【図５】
2005204628.tif 000007
【図６】
2005204628.tif 000008
【図７】
2005204628.tif 000009
【図８】
2005204628.tif 000010